(57)【要約】【課題】強い磁力と、遠赤外線と、振動（バッティング）とによって、血流を促進するとともに肌を刺激することができ、マッサージの相乗効果を期待できる電動マグネット美容マッサージ器を提供する。【解決手段】円筒状の筐体５内に電動モータ６が配置された本体２と、本体２の端部から長手方向延長側へ向かって突出するように本体２に装着されたヘッド部３とによって電動マグネット美容マッサージ器１を構成した。電動モータ６は、本体２の筐体５内に収容される電池７から電力の供給を受けて回転し、回転軸に装着された偏心錘によって振動を発生させるように構成され、ヘッド部３の先端に、ポリアミドによって外表面がコーティングされたネオジム磁石８が固定されている。【選択図】図１
2015077204.tif 000002
【特許請求の範囲】
【請求項１】
円筒状の筐体内に電動モータが配置された本体と、本体の端部から長手方向延長側へ向かって突出するように本体に装着されたヘッド部とによって構成され、
電動モータは、本体の筐体内に収容される電池から電力の供給を受けて回転し、回転軸に装着された偏心錘によって振動を発生させるように構成され、
ヘッド部の先端には、ポリアミドによって外表面がコーティングされたネオジム磁石が固定されていることを特徴とする、顔或いは首専用の電動マグネット美容マッサージ器。
【請求項２】
円筒状に形成され、ヘッド部周りに装着できるように構成されたキャップを付帯していることを特徴とする、請求項１に記載の電動マグネット美容マッサージ器。
【請求項３】
ポリアミドによるコーティングの層厚が、０．３〜０．５ｍｍに設定されていることを特徴とする、請求項１に記載の電動マグネット美容マッサージ器。
【請求項４】
ヘッド部の先端に固定するネオジム磁石として、ポリアミドによって外表面を層厚０．３〜０．５ｍｍでコーティングした状態において、磁束密度が１９００Ｇ以上となるものを使用することを特徴とする、請求項３に記載の電動マグネット美容マッサージ器。
【請求項５】
ネオジム磁石に伝達される振動が、振動数１４０〜１７０Ｈｚ、振幅０．０７〜０．０９ｍｍとなるように調整されていることを特徴とする、請求項１〜４のいずれかに記載の電動マグネット美容マッサージ器。
【請求項６】
本体の一方の端部に、筐体よりも直径が小さい円筒状の突出部が形成されるとともに、ヘッド部の基端部に、当該突出部を嵌合させることができる凹部が形成され、電動モータが、防振材を介して当該突出部内に保持されていることを特徴とする、請求項１〜５のいずれかに記載の電動マグネット美容マッサージ器。
【請求項７】
対象部分に美容液を予め塗っておき、その上から、請求項１〜６のいずれかに記載の電動マグネット美容マッサージ器を用いて美容マッサージを行うことを特徴とする美容マッサージ方法。
【発明の詳細な説明】
【技術分野】
【０００１】
本発明は、顔及び首を対象とする美容マッサージ器に関し、特に、先端にネオジム磁石が装着され、磁力と振動と遠赤外線による相乗効果を期待できる電動マグネット美容マッサージ器に関する。
【背景技術】
【０００２】
従来より、電動マッサージ器として、偏心錘を電動モータによって回転させて振動を発生させるタイプのものが各種開発され、市場に供給されている。また、磁気を利用して血流を促進するために、先端に磁石を取り付けた電動マッサージ器も知られている。
【先行技術文献】
【特許文献】
【０００３】
【特許文献１】特開平７−５１３９３号公報
【特許文献２】実用新案登録第３０５０６４１号公報
【発明の概要】
【発明が解決しようとする課題】
【０００４】
しかしながら、従来の電動マッサージ器は、振動のみによるものの場合には、十分なマッサージ効果が期待できず、また、磁気を利用するものについても、強力な磁力によって大きな血流促進効果を期待できるようなものは存在していない。
【０００５】
本発明は、上記のような従来技術における課題を解決しようとするものであって、強い磁力と、遠赤外線と、振動（バッティング）とによって、血流を促進するとともに肌を刺激することができ、更に、振動によって磁力線を変化させることにより、刺激とマッサージ効果を増幅させる効果（相乗効果）が期待できる電動マグネット美容マッサージ器を提供することを目的とする。
【課題を解決するための手段】
【０００６】
本発明の電動マグネット美容マッサージ器は、円筒状の筐体内に電動モータが配置された本体と、本体の端部から長手方向延長側へ向かって突出するように本体に装着されたヘッド部とによって構成され、電動モータが、本体の筐体内に収容される電池から電力の供給を受けて回転し、回転軸に装着された偏心錘によって振動を発生させるように構成され、ヘッド部の先端に、ポリアミドによって外表面がコーティングされたネオジム磁石が固定されていることを特徴としている。
【０００７】
尚、この電動マグネット美容マッサージ器においては、携帯に便利なように、ヘッド部周りに装着できるように構成された円筒状のキャップを付帯していることが好ましい。また、ポリアミドによるコーティングの層厚は、０．３〜０．５ｍｍに設定されていることが好ましく、更に、ヘッド部の先端に固定するネオジム磁石として、ポリアミドによって外表面を層厚０．３〜０．５ｍｍでコーティングした状態において、磁束密度が１９００Ｇ以上となるものを使用することが好ましい。また、ネオジム磁石に伝達される振動が、振動数１４０〜１７０Ｈｚ、振幅０．０７〜０．０９ｍｍとなるように調整されていることが好ましい。
【０００８】
更に、本体の一方の端部に、筐体よりも直径が小さい円筒状の突出部が形成されるとともに、ヘッド部の基端部に、当該突出部を嵌合させることができる凹部が形成され、電動モータが、防振材を介して当該突出部内に保持されていることが好ましい。
【０００９】
また、この電動マグネット美容マッサージ器を用いて美容マッサージを行う場合には、対象部分に美容液を予め塗っておき、その上から、美容マッサージを行うことが好ましい。
【発明の効果】
【００１０】
本発明に係る電動マグネット美容マッサージ器は、強い磁力と、遠赤外線と、振動（バッティング）とによって、血流を促進するとともに肌を刺激することができ、更に、振動によって磁力線を変化させることにより、刺激とマッサージ効果を増幅させる効果（相乗効果）が期待でき、マッサージを行った部位において、シワ、くすみ、たるみを効果的に改善することができる。また、シワ、くすみ、たるみの改善に効果がある美容液と併用した場合、美容液の浸透性を向上させ、改善効果を増大させることができる。
【００１１】
また、本発明に係る電動マグネット美容マッサージ器は、小型、軽量、スリムで、バッグに入れて持ち運びが自在である（携帯性、便利性が高い）という効果も期待することができる。更に、振動数及び振幅が適正範囲に調整されているため、目の周りを対象とする場合であっても、安全に使用することができ、また、良好な使用感が得られる。
【００１２】
また、使用されるネオジム磁石がポリアミドによってコーティングされているため、錆の発生を回避することができ、更に、コーティング層に銀イオン（或いは銅イオン）を含有させた場合には、その抗菌作用により、衛生的に使用することができる。
【図面の簡単な説明】
【００１３】
【図１】図１は、本発明に係る電動マグネット美容マッサージ器１の平面図である。
【図２】図２は、図１に示した本体２及びヘッド部３の側面図である。
【図３】図３は、図１に示した本体２の部分拡大断面図及びヘッド部の部分拡大図である。
【図４】図４は、本発明の実施例に係るマッサージ器の本体２における振動の波形を示すグラフである。
【図５】図５は、本発明の実施例に係るマッサージ器のヘッド部３のネオジム磁石８における振動の波形を示すグラフである。
【図６】図６は、比較例に係るマッサージ器の本体における振動の波形を示すグラフである。
【図７】図７は、比較例に係るマッサージ器のヘッド部のネオジム磁石における振動の波形を示すグラフである。
【図８】図８は、本発明の実施例及び比較例の使用感の比較試験の説明図である。
【図９】図９は、本発明の実施例及び比較例の美容効果の検証試験（被験者１）の結果を示す写真である。
【図１０】図１０は、本発明の実施例及び比較例の美容効果の検証試験（被験者２）の結果を示す写真である。
【図１１】図１１は、本発明の実施例及び比較例の美容効果の検証試験（被験者３）の結果を示す写真である。
【図１２】図１２は、本発明の実施例及び比較例の美容効果の検証試験（被験者４）の結果を示す写真である。
【発明を実施するための形態】
【００１４】
本発明に係る電動マグネット美容マッサージ器１（以下、単に「マッサージ器１」と称する）は、図１及び図２に示すように、本体２、ヘッド部３、及び、キャップ４によって構成され、一般的な電動歯ブラシと同程度の大きさに形成されている。
【００１５】
本体２は、円筒状の筐体５、及び、筐体５内に配置された電動モータ６によって構成され、筐体５内には、電池７を収納するスペースが形成されている。本体２の一方の端部には、図３に示すように、筐体５よりも直径が小さい円筒状の突出部１１が形成されており、電動モータ６は、この突出部１１内において、回転軸９が突出部１１の先端側へ向かって延在する向きで固定されている。そして、回転軸９の先端には、偏心錘１０が固定されており、電池７から供給される電力によって電動モータ６の回転軸９、及び、その先端に装着された偏心錘１０が回転することにより振動が発生するようになっている。尚、電動モータ６の周りには、適度な柔軟性を有する円筒状の防振材１３が装着されており、電動モータ６は、突出部１１内において、防振材１３を介して保持されている。
【００１６】
ヘッド部３は、本体２の一方の端部に対して装着されている。より具体的には、図３に示すように、ヘッド部３の基端部には、本体２の突出部１１を嵌合させることができる凹部１２が形成されており、本体２の突出部１１を凹部１２内に嵌合させることにより、ヘッド部３が本体２の延長方向側へ突出するように装着されている。
【００１７】
ヘッド部３の先端にはネオジム磁石８が固定されている。このネオジム磁石８は、平面形状が楕円形で、一定の厚さ（本実施形態においては３ｍｍ）を有しており、外表面が、銀（或いは銅）をイオンの状態で含有するポリアミドによってコーティングされている。尚、コーティングの層厚は、０．４ｍｍ（±０．１ｍｍ）となっている。
【００１８】
銀イオン（或いは銅イオン）を含むポリアミドによる、ネオジム磁石８の外表面のコーティングは、加熱したポリアミド樹脂にイオン化銀、イオン化銅等を組み合わせて配合して行う。これにより、抗菌樹脂によってコーティング層を形成することができ、より衛生的な状態を保つことができる。
【００１９】
本実施形態においては、ネオジム磁石８として、ポリアミドによって外表面を層厚０．３〜０．５ｍｍでコーティングした状態において、磁束密度が１９００Ｇ以上となるもの（例えば、コーティング前の状態で２５００Ｇ程度のもの）を使用している。
【００２０】
キャップ４は、一方の端部が閉じられた円筒状に形成され、ヘッド部３周りに装着できるように構成されている。
【００２１】
本実施形態のマッサージ器１は、顔及び首を対象とする顔・首専用の美容マッサージ器であり、本体２を片手で把持して使用する。具体的には、図示しないスイッチをＯＮにすると、電動モータ６が回転し、回転軸に装着されている偏心錘によって振動が発生し、ヘッド部３を介して振動がネオジム磁石８に伝達される。
【００２２】
そして、振動するネオジム磁石８を、マッサージ対象部分、例えば、目の周り、頬、口角、ほうれい線、顎下、首筋等に軽く当ててマッサージする。そうすると、ネオジム磁石８から発せられる強い磁力と、遠赤外線と、振動（バッティング）とによって血流が促進されるとともに、肌が刺激されることになり、更に、磁力は振動させることによって１〜１９００Ｇの幅で磁力線が変化するため、刺激とマッサージ効果を増幅させる効果（相乗効果）が期待できる。その結果、マッサージを行った部位において、シワ、くすみ、たるみを改善することができる。
【００２３】
また、シワ、くすみ、たるみの改善に効果がある美容液を予め対象部分に塗っておき、その上からネオジム磁石８を当ててマッサージを行うと、皮膚組織内への美容液の浸透性が向上し、シワ、くすみ、たるみの改善効果を増大させることができる。
【００２４】
また、従来のマッサージ器は、構造が複雑で、大型で、価格も高価となりやすいという問題があったが、本実施形態のマッサージ器１は、小型、軽量、スリムで、バッグに入れて持ち運びが自在である（携帯性、便利性が高い）という効果も期待することができる。
【００２５】
尚、本実施形態においては、ネオジム磁石８に伝達される振動（振動数及び振幅）が、肌に直接当てても痛みを感じない程度、及び、視神経を損傷しない程度、具体的には、振動数が１４０〜１７０Ｈｚ、振幅が０．０７〜０．０９ｍｍ程度となるように調整されている。振動数が大きすぎると、目の周りに使用した場合に視神経を損傷してしまう可能性があるが、１７０Ｈｚ以下であれば安全に使用できる。また、振動数を１４０〜１７０Ｈｚとした場合において、振幅が０．１１ｍｍを越えると、肌に直接当てた場合に痛みを感じてしまうことが懸念されるが、０．０９ｍｍ以下であれば、良好な使用感が得られる。
【００２６】
また、ネオジム磁石８は錆びやすく、特に、美容液と併用した場合には、ネオジム磁石８に美容液が接触することになるため、錆の発生が心配されるが、本実施形態においては、ネオジム磁石８の外表面がポリアミドでコーティングされているため、錆の発生を好適に防止することができる。尚、ポリアミドは、人間の肌に触れても特に問題はなく、また、本実施形態においては、ポリアミドのコーティング層に銀イオン（或いは銅イオン）が含まれているため、その抗菌作用により、衛生的に、安全に使用することができる。
【実施例１】
【００２７】
本発明の実施例として、図１〜図３に示したマッサージ器を用意し、動作時の振動を測定するとともに、比較例として、電動モータが、突出部ではなく、より電池側に近い位置（本体の筐体内における、突出部と電池の間の位置）に配置されたマッサージ器を用意し、その振動を測定した。その結果を図４〜図７に示す。
【００２８】
図４は、本発明の実施例として用意したマッサージ器の本体２（電動モータ６が配置されている部位、図１及び図３参照）における振動の波形（測定結果）を示すグラフであり、図５は、同マッサージ器のヘッド部３のネオジム磁石８における振動の波形（測定結果）を示すグラフである。また、図６は、比較例として用意したマッサージ器の本体（電動モータが配置されている部位）における振動の波形（測定結果）を示すグラフであり、図７は、同マッサージ器のヘッド部のネオジム磁石における振動の波形（測定結果）を示すグラフである。
【００２９】
図６及び図７に示すように、比較例では、本体においても、また、ネオジム磁石の部位においても、波形に乱れが生じることがわかった。比較例では、電動モータによって生じた振動が、ヘッド部の先端にうまく伝達されておらず、また、筐体の共鳴等のノイズによってヘッド部に伝達される振動のスピードや加速度にブレが生じたものと考えられる。これに対し本発明の実施例では、図４及び図５に示すように、本体２においても、また、ネオジム磁石８の部位においても、滑らかな波形となりった。これは、ヘッド部３の凹部１２内に嵌合する突出部１１内に電動モータ６が配置されていることにより（図３参照）、振動がヘッド部３に対して好適に伝達され、ノイズ等の混入が回避されたためと考えられる。
【００３０】
また、本発明の実施例のマッサージ器と、比較例のマッサージ器とを、実際に肌に当ててマッサージを行い、使用感の比較試験を行った。尚、この比較試験は、被験者１５名に対し、それぞれ図８に示すａ〜ｇの７つの部位（目の周り４箇所、口の周り３箇所）を対象として実施した。その結果を次表に示す。
【００３１】
【表１】
2015077204.tif 000003
【００３２】
上記の通り、本発明の実施例のマッサージ器については、図８に示すａ〜ｇのいずれの部位についても、「丁度良い」と回答した者が概ね９０％を越えた。これに対し、比較例のマッサージ器については、ａ〜ｇのいずれの部位においても、被験者の全員が「響いて痛い」或いは「痛くてあてられない」と回答した。また、その他の感想として、本発明の実施例のマッサージ器については、「振動音が心地よい」、「マッサージ感が良い」、「手軽に使える」といった肯定的な意見が多く挙げられ、一方、比較例のマッサージ器については、「振動音がうるさく耳障り」、「振動が荒くて痛い」、「痛くてあてられない部分が多い」といった否定的な意見が多く挙げられた。
【００３３】
本発明の実施例においては、図４及び図５に示すように、発生する振動及び伝達される振動がいずれも滑らかで、また、電動モータを保持する防振材の選択、本体の突出部からヘッド部に至る構造等によって、振動数が１４０〜１７０Ｈｚ、振幅が０．０７〜０．０９ｍｍ程度となるように適切に調整されているため、上記の通り、比較例と比べて肯定的な結果になったものと考えられる。
【実施例２】
【００３４】
更に、年代及び性別が異なる被験者４名に対し、目の周りの部分を対象として、本発明の実施例のマッサージ器による美容効果を検証するための試験を行った。具体的には、まず最初に各被験者の目の周りの部分の状態を撮影し、次に、図８に示すａ〜ｄの４箇所に美容液を塗り、本発明の実施例のマッサージ器を用いて各部位それぞれ２０秒ずつ間マッサージを行い、その後の状態を撮影した。その結果（マッサージの前後に撮影した写真）を図９〜１２に示す。
【００３５】
被験者１（５０代女性）においては、図９に示すように、マッサージ前は目の下、目尻に小じわが目立ち、肌理が粗く、肌に張りがない状態であったところ、マッサージ後においては、小じわは殆ど目立たなくなり、肌に張りが出て、滑らかな肌になった。また、被験者２（６０代女性）においては、図１０に示すように、マッサージ前は目の上下左右に小じわ、笑いじわ等が目立ち、肌に張りがなく、光沢もなく、肌理も粗い状態であったところ、マッサージ後においては、目の上下左右とも小じわは目立たなくなり、肌に張りが出て、肌理も細かくなった。
【００３６】
被験者３（５０代男性）においては、図１１に示すように、マッサージ前は目の下（涙袋）の弛みが目立ち、目尻の小じわが深く、肌理が粗く、肌に張りがない状態であったところ、マッサージ後においては、涙袋に張りが出て、目尻の小じわが改善された。また、被験者４（６０代男性）においては、図１２に示すように、マッサージ前は涙袋に張りがなく、目尻に深く長いしわが目立ち、肌理が粗く、肌に張りがない状態であったところ、マッサージ後においては、涙袋の膨らみやしわが改善され、目尻のしわの皮溝が上がり、長かったしわが短くなり、肌理が改善され、肌の張りも改善された。
【００３７】
このように、美容液を塗った部位に対して、本発明に係るマッサージ器を用いてマッサージを行うと、美容液の浸透性を向上させることができ、その結果、涙袋の膨らみ、張り、しわの改善、目の上下及び目尻のしわの改善、肌理、張り、滑らかさの改善に効果が期待できることが確認された。
【符号の説明】
【００３８】
１：マッサージ器、
２：本体、
３：ヘッド部、
４：キャップ、
５：筐体、
６：電動モータ、
７：電池、
８：ネオジム磁石
９：回転軸、
１０：偏心錘、
１１：突出部、
１２：凹部、
１３：防振材
【図１】
2015077204.tif 000004
【図２】
2015077204.tif 000005
【図３】
2015077204.tif 000006
【図４】
2015077204.tif 000007
【図５】
2015077204.tif 000008
【図６】
2015077204.tif 000009
【図７】
2015077204.tif 000010
【図８】
2015077204.tif 000011
【図９】
2015077204.tif 000012
【図１０】
2015077204.tif 000013
【図１１】
2015077204.tif 000014
【図１２】
2015077204.tif 000015